(57)【特許請求の範囲】
【請求項１】
集塵機の上流に設置される不燃剤噴霧ユニット付き集塵フードであって、粉塵発生源で発生する粉塵を搬送気体とともに鉛直方向に搬送する集塵フードと、該集塵フードの側面に連通連結され、前記粉塵を搬送気体とともに水平方向に搬送する集塵ダクトと、該集塵ダクトの側面に連通連結される共に不燃剤を貯留し、該不燃剤を噴霧させる不燃剤噴霧ユニットと、を具備し、前記不燃剤噴霧ユニットが、圧縮空気を噴射すると共に可撓性材料からなるチューブを有する不燃剤撹拌手段を具備し、前記不燃剤撹拌手段における前記チューブは一端が固定されており、他端が自由に動けるようになっていることを特徴とする不燃剤噴霧ユニット付き集塵フード。
【請求項２】
前記集塵ダクトが連通連結される前記集塵フードの側面と前記集塵ダクトの底面が直角をなすことを特徴とする請求項１記載の不燃剤噴霧ユニット付き集塵フード。
【発明の詳細な説明】
【技術分野】
【０００１】
本発明は、集塵機内やダクト内で火災が発生するのを防止するために不燃剤を噴霧させてダクト内に供給するものであって、集塵機の上流に設置される不燃剤噴霧ユニット付き集塵フードに関する。
【背景技術】
【０００２】
従来、集塵配管内でマグネシウム等の可燃性粉塵を搬送気体とともに搬送して集塵する際、粉塵爆発発生の可能性を低くするために、第１工程で前記集塵配管内に不燃粉体含有気体を流通させ、その後、第２工程で前記集塵配管内に前記可燃性粉塵を含有する搬送気体を流通させる粉塵の集塵方法及び集塵装置が公知にされている（例えば、特許文献１参照）。  
【先行技術文献】
【特許文献】
【０００３】
【特許文献１】特開２００１−１７８１５号公報
【発明の概要】
【発明が解決しようとする課題】
【０００４】
しかし、特許文献１のものは、前記第１工程１回あたりに流通させる不燃粉体含有気体中の不燃粉体の量が、体積比で、前記第２工程１回あたりに流通させる可燃性粉塵含有搬送気体中の可燃性粉塵の量の３〜１５倍であり、該不燃粉体の消費量が多いという問題がある。また集塵配管を含め、装置が大掛かりになってしまうという問題がある。
【０００５】
本発明は、上記の問題に鑑みて成されたもので、不燃粉体（不燃剤）の消費量を少なくすることができると共にコンパクトな構造の不燃剤噴霧ユニット付き集塵フードを提供することを目的とする。
【課題を解決するための手段】
【０００６】
上記の目的を達成するために本発明の不燃剤噴霧ユニット付き集塵フードは、集塵機の上流に設置される不燃剤噴霧ユニット付き集塵フードであって、粉塵発生源で発生する粉塵を搬送気体とともに鉛直方向に搬送する集塵フードと、該集塵フードの側面に連通連結され、前記粉塵を搬送気体とともに水平方向に搬送する集塵ダクトと、該集塵ダクトの側面に連通連結される共に不燃剤を貯留し、該不燃剤を噴霧させる不燃剤噴霧ユニットと、を具備し、前記不燃剤噴霧ユニットが、圧縮空気を噴射すると共に可撓性材料からなるチューブを有する不燃剤撹拌手段を具備し、前記不燃剤撹拌手段における前記チューブは一端が固定されており、他端が自由に動けるようになっていることを特徴とする。
【０００７】
また本発明の不燃剤噴霧ユニット付き集塵フードは、前記集塵ダクトが連通連結される前記集塵フードの側面と前記集塵ダクトの底面が直角をなすことを特徴とする。
【発明の効果】
【０００８】
本発明は、集塵機の上流に設置される不燃剤噴霧ユニット付き集塵フードであって、粉塵発生源で発生する粉塵を搬送気体とともに鉛直方向に搬送する集塵フードと、該集塵フードの側面に連通連結され、前記粉塵を搬送気体とともに水平方向に搬送する集塵ダクトと、該集塵ダクトの側面に連通連結される共に不燃剤を貯留し、該不燃剤を噴霧させる不燃剤噴霧ユニットと、を具備し、前記不燃剤噴霧ユニットが、圧縮空気を噴射すると共に可撓性材料からなるチューブを有する不燃剤撹拌手段を具備し、前記不燃剤撹拌手段における前記チューブは一端が固定されており、他端が自由に動けるようになっているから、不燃剤の消費量を少なくすることができると共にコンパクトな構造の不燃剤噴霧ユニット付き集塵フードにすることができる等種々の効果がある。
【図面の簡単な説明】
【０００９】
【図１】本発明の実施形態を示す斜視図である。
【発明を実施するための形態】
【００１０】
本実施形態で示す不燃剤噴霧ユニット付き集塵フードは、図示されない加工機（本実施形態では自動溶接機）、即ち、粉塵発生源を包囲する図示されない粉塵発生源包囲フードの天井上面に設置されている。以下、本発明の実施の形態を図面に基づいて詳しく説明する。図１において、前記粉塵発生源包囲フードの天井上面には、前記粉塵発生源で発生する粉塵を搬送気体とともに鉛直方向に搬送する集塵フード１が連結されており、該集塵フード１は下端開口部１ａを介して前記粉塵発生源包囲フードに連通されている。
【００１１】
そして、該集塵フード１の一方の側面には、前記粉塵を搬送気体とともに水平方向に搬送する集塵ダクト２が連結されており、該集塵ダクト２は一端開口部２ａを介して前記集塵フード１に連通されている。また該集塵ダクト２の他端開口部２ｂは図示されない接続ダクトを介して図示されない集塵機（本実施形態では乾式集塵機）に連通されている。このことから分かるように、本実施形態で示す不燃剤噴霧ユニット付き集塵フードは該集塵機の上流に設置されている。
【００１２】
また前記集塵ダクト２の一端開口部２ａと直交する側面には、不燃剤Ｆ（本実施形態では炭酸カルシウム）を貯留し、該不燃剤Ｆを噴霧させる不燃剤噴霧ユニット３が連結されており、該不燃剤噴霧ユニット３の一端側面は前記集塵フード１の一方の側面に連結されている。なお、該不燃剤噴霧ユニット３の一端側面と直交する側面には、側面開口部３ａが設けられており、該不燃剤噴霧ユニット３は側面開口部３ａを介して前記集塵ダクト２に連通されている。
【００１３】
また不燃剤噴霧ユニット３内の天井下面には不燃剤撹拌手段４が吊設されており、該不燃剤撹拌手段４は先端に可撓性材料からなる複数のチューブ４ａを備えている。なお該チューブ４ａは一端が固定されており、他端（最先端側）が自由に動けるようになっている。そして、該不燃剤撹拌手段４は図示されない開閉弁を介して図示されない圧縮空気源に連通されており、該不燃剤撹拌手段４に圧縮空気が供給されると、前記チューブ４ａから圧縮空気が噴射されると共に前記チューブ４ａの他端が不規則に動く（暴れる）。これにより、前記不燃剤噴霧ユニット３内に貯留されている不燃剤Ｆを噴霧させるようになっている。
【００１４】
なお本発明における不燃剤Ｆとしては、上述した炭酸カルシウムのほかに、例えば、ゼオライト、パーライト、ガラス粉、石英砂、乾燥コンクリート粉、石灰石粉、軽石粉、ホウ砂、珪藻土、セライト、セメント、消石灰、乾燥粘土、長石、乾燥塩、ベントナイト、ケイ石などが挙げられる。
【００１５】
このように構成されたものの作動について説明する。まず、粉塵発生源、即ち、図示されない加工機が作動されると、粉塵が発生するため、図示されない集塵機が作動される。そうすると、該集塵機の吸引力により、図示されない粉塵発生源包囲フード内の粉塵は、集塵フード１の下端開口部１ａを介して該集塵フード１内に吸引され、該集塵フード１内において搬送気体とともに鉛直方向に搬送される。
【００１６】
その後、集塵フード１内の粉塵は、集塵ダクト２の一端開口部２ａを介して該集塵ダクト２に吸引され、該集塵ダクト２内において搬送気体とともに水平方向に搬送される。なお不燃剤撹拌手段４においては、該不燃剤撹拌手段４に連通された前記図示されない開閉弁が一定時間毎（本実施形態では２８分毎）に数秒間（本実施形態では５秒間）開くようになっており、該開閉弁が開いている間は不燃剤撹拌手段４に圧縮空気が供給され、チューブ４ａから圧縮空気が噴射されると共にチューブ４ａの他端が不規則に動く（暴れる）。これにより、不燃剤噴霧ユニット３内に貯留されている不燃剤Ｆを噴霧させる。
【００１７】
そして、噴霧された不燃剤Ｆは、不燃剤噴霧ユニット３の側面開口部３ａを介して集塵ダクト２に吸引され、該集塵ダクト２内の粉塵と混合される。その後、該混合された粉塵と不燃剤Ｆは、集塵ダクト２の他端開口部２ｂ及び図示されない接続ダクトを介して搬送気体とともに図示されない集塵機に吸引される。
【００１８】
なお本発明では、不燃剤噴霧ユニット３が、圧縮空気を噴射すると共に可撓性材料からなるチューブ４ａを有する不燃剤撹拌手段４を具備している。このため、不燃剤撹拌手段４に圧縮空気が供給されると、チューブ４ａから圧縮空気が噴射されると共にチューブ４ａの他端が不規則に動き、不燃剤噴霧ユニット３内に貯留されている不燃剤Ｆを攪拌して噴霧させるようになっている。その結果、撹拌されて噴霧された不燃剤Ｆは気流の流れに沿って万遍なく集塵ダクト２内及び図示されない接続ダクト内に該不燃剤Ｆの層を形成するから、従来に比べ、不燃剤Ｆの消費量が少なくてすむという効果がある。
【００１９】
また本発明では、集塵フード１の側面に集塵ダクト２が連通連結され、且つ、該集塵ダクト２の側面に不燃剤噴霧ユニット３が連通連結されており、これによりコンパクトな構造の不燃剤噴霧ユニット付き集塵フードになっている。
【００２０】
なお本発明の実施形態では、図１に示すように、集塵ダクト２が連通連結される集塵フード１の側面と該集塵ダクト２の底面が直角をなしている。この構成にすると、粉塵発生源で発生する火種（例えば、スパッタ）が直接、集塵ダクト２内へ進入することを防止することができ、集塵機内やダクト内での火災発生の確率を、より低減させることができるため、好ましい。
【００２１】
また本発明の実施形態では、不燃剤噴霧ユニット３内への不燃剤Ｆの供給は、該不燃剤噴霧ユニット３に設けられた点検扉３ｂを開けて、そこから供給するようにしている。しかし、これに限定されるものではなく、不燃剤噴霧ユニット３に供給管（図示せず）を介して不燃剤圧送手段（図示せず）を連通させ、該不燃剤圧送手段により不燃剤Ｆを圧送して不燃剤噴霧ユニット３内に供給するようにしてもよい。
【符号の説明】
【００２２】
１  集塵フード
２  集塵ダクト
３  不燃剤噴霧ユニット
４  不燃剤撹拌手段
４ａ  チューブ
Ｆ  不燃剤
【図１】
0005445968.tif 000002